(57)【特許請求の範囲】
【請求項１】
ユーザの操作に応じて入力情報を受け付ける情報受付システムであって、
物体で擦られたときに特有の第１旋律を生じるように調整された操作面および前記操作面と異なる貼付面が形成された第１操作対象部材と、
情報受付装置と、
を備え、
前記情報受付装置は、
前記入力情報の候補となる第１候補情報を前記第１旋律に関連づけて記憶する記憶手段と、
周囲の環境において生じる音声を観測しつつ、観測結果を観測情報として取得する観測手段と、
前記観測手段により取得された観測情報における前記第１旋律の存否を判定するとともに、前記第１旋律が存在すると判定したときに、当該第１旋律に関連づけられた第１候補情報を、前記入力情報として選択する選択手段と、
を備え、
前記第１操作対象部材は、前記貼付面を前記情報受付装置に貼り付けることが可能であるとともに前記情報受付装置に貼り付いた状態の前記貼付面を前記情報受付装置から剥がすことが可能であることにより前記情報受付装置に対して着脱自在とされており、光を透過する透明材料で形成された部分を含む情報受付システム。
【請求項２】
請求項１に記載の情報受付システムであって、
前記第１操作対象部材は、前記情報受付装置を収納する収納部材を構成している情報受付システム。
【請求項３】
請求項１または２に記載の情報受付システムであって、
物体で擦られたときに、前記第１旋律と異なる特有の第２旋律を生じるように調整された操作面が形成された第２操作対象部材をさらに備え、
前記記憶手段は、前記入力情報の候補となる第２候補情報を前記第２旋律に関連づけて記憶し、
前記選択手段は、前記観測手段により取得された観測情報における前記第２旋律の存否を判定するとともに、前記第２旋律が存在すると判定したときに、当該第２旋律に関連づけられた第２候補情報を、前記入力情報として選択する情報受付システム。
【請求項４】
請求項１ないし３のいずれかに記載の情報受付システムであって、
前記第１旋律は、特有の部分旋律を含み、
前記記憶手段は、前記入力情報の候補となる第３候補情報を前記部分旋律に関連づけて記憶し、
前記選択手段は、前記観測手段により取得された観測情報における前記部分旋律の存否を判定するとともに、前記部分旋律が存在すると判定したときに、当該部分旋律に関連づけられた第３候補情報を、前記入力情報として選択する情報受付システム。
【請求項５】
請求項４に記載の情報受付システムであって、
前記選択手段は、
前記観測手段により取得された観測情報における前記第１旋律の存否を判定するとともに、前記第１旋律が存在すると判定したときに、当該第１旋律に関連づけられた第１候補情報を、前記入力情報として選択する第１選択手段と、
前記観測手段により取得された観測情報における前記部分旋律の存否を判定するとともに、前記部分旋律が存在すると判定したときに、当該部分旋律に関連づけられた第３候補情報を、前記入力情報として選択する第２選択手段と、
を備え、
前記情報受付装置は、
前記第１選択手段に電力供給がされる、もしくは通常電力消費状態で動作する第１動作モードと、前記第１選択手段に対する電力供給が停止、もしくは低電力消費状態で動作する第２動作モードとの間で、前記情報受付装置の動作モードを切り替える切替手段をさらに備え、
前記切替手段は、前記第３候補情報が前記入力情報として選択されたときに、前記情報受付装置の動作モードを前記第２動作モードから前記第１動作モードに切り替える情報受付システム。
【請求項６】
ユーザの操作に応じて入力情報を受け付ける情報受付システムであって、
物体で擦られたときに特有の第１旋律を生じるように調整された操作面が形成された第１操作対象部材と、
情報受付装置と、
を備え、
前記情報受付装置は、
前記入力情報の候補となる第１候補情報を前記第１旋律に関連づけて記憶するとともに、前記入力情報の候補となる第３候補情報を前記第１旋律に含まれる特有の部分旋律に関連づけて記憶する記憶手段と、
周囲の環境において生じる音声を観測しつつ、観測結果を観測情報として取得する観測手段と、
前記観測手段により取得された観測情報における前記第１旋律の存否を判定するとともに、前記第１旋律が存在すると判定したときに、当該第１旋律に関連づけられた第１候補情報を、前記入力情報として選択する第１選択手段と、
前記観測手段により取得された観測情報における前記部分旋律の存否を判定するとともに、前記部分旋律が存在すると判定したときに、当該部分旋律に関連づけられた第３候補情報を、前記入力情報として選択する第２選択手段と、
前記第１選択手段に電力供給がされる、もしくは通常電力消費状態で動作する第１動作モードと、前記第１選択手段に対する電力供給が停止、もしくは低電力消費状態で動作する第２動作モードとの間で、前記情報受付装置の動作モードを切り替える切替手段と、
を備え、
前記切替手段は、前記第３候補情報が前記入力情報として選択されたときに、前記情報受付装置の動作モードを前記第２動作モードから前記第１動作モードに切り替える情報受付システム。
【請求項７】
物体の接触により特有の第１旋律を生じるように調整された操作面が形成された第１操作対象部材を備えるコンピュータにより読み取り可能なプログラムであって、前記プログラムの前記コンピュータによる実行は、前記コンピュータを、
前記入力情報の候補となる第１候補情報を前記第１旋律に関連づけて記憶するとともに、前記入力情報の候補となる第３候補情報を前記第１旋律に含まれる特有の部分旋律に関連づけて記憶する記憶手段と、
周囲の環境において生じる音声を観測しつつ、観測結果を観測情報として取得する観測手段と、
前記観測手段により取得された観測情報における前記第１旋律の存否を判定するとともに、前記第１旋律が存在すると判定したときに、当該第１旋律に関連づけられた第１候補情報を、前記入力情報として選択する第１選択手段と、
前記観測手段により取得された観測情報における前記部分旋律の存否を判定するとともに、前記部分旋律が存在すると判定したときに、当該部分旋律に関連づけられた第３候補情報を、前記入力情報として選択する第２選択手段と、
前記第１選択手段に電力供給がされる、もしくは通常電力消費状態で動作する第１動作モードと、前記第１選択手段に対する電力供給が停止、もしくは低電力消費状態で動作する第２動作モードとの間で、前記コンピュータの動作モードを切り替える切替手段と、
を備え、
前記切替手段は、前記第３候補情報が前記入力情報として選択されたときに、前記コンピュータの動作モードを前記第２動作モードから前記第１動作モードに切り替える情報受付システムとして機能させるプログラム。
【請求項８】
物体の接触により特有の第１旋律を生じるように調整された操作面をユーザが操作することによって情報受付装置に入力情報を入力する情報入力方法であって、
前記入力情報の候補となる第１候補情報を前記第１旋律に関連づけて記憶する工程と、
前記入力情報の候補となる第３候補情報を前記第１旋律に含まれる特有の部分旋律に関連づけて記憶する工程と、
周囲の環境において生じる音声を観測しつつ、観測結果を観測情報として取得する工程と、
取得された観測情報における前記第１旋律の存否を判定する工程と、
取得された観測情報における前記部分旋律の存否を判定する工程と、
前記第１旋律が存在すると判定されたときに、当該第１旋律に関連づけられた第１候補情報を、前記入力情報として第１選択手段により選択する工程と、
前記部分旋律が存在すると判定されたときに、当該部分旋律に関連づけられた第３候補情報を、前記入力情報として第２選択手段により選択する工程と、
前記第１選択手段に電力供給がされる、もしくは通常電力消費状態で動作する第１動作モードと、前記第１選択手段に対する電力供給が停止、もしくは低電力消費状態で動作する第２動作モードとの間で、前記情報受付装置の動作モードを切り替える切替手段により、前記第３候補情報が前記入力情報として選択されたときに、前記情報受付装置の動作モードを前記第２動作モードから前記第１動作モードに切り替える工程と、
を有する情報入力方法。
【発明の詳細な説明】
【技術分野】
【０００１】
本発明は、記憶されている複数の情報の中から、ユーザの操作に応じて生じる音声を用いて、当該ユーザの所望する情報を特定する技術に関する。
【背景技術】
【０００２】
従来より、ユーザの操作に応じて生じる振動によって、ユーザの所望する情報を特定する技術が提案されている。例えば、特許文献１には、ユーザによって発生された指定操作音を検出したときに当該ユーザによる操作がされたとみなして、当該操作を撮像した画像情報に基づいて、ユーザの所望する情報を特定する技術が記載されている。
【先行技術文献】
【特許文献】
【０００３】
【特許文献１】特開２００６−２５２０３７号公報
【発明の概要】
【発明が解決しようとする課題】
【０００４】
ところが、特許文献１に記載されている技術では、ユーザの操作対象物（特許文献１では、「撮影面」。）が未知の物体であるため、ユーザの操作時にどのような操作音が発生するのかが未知であり、検出漏れを防止するためには指定操作音と認識する範囲を広く設定する必要がある一方、このように広く設定するとノイズを指定操作音として誤検出するという問題があった。
【０００５】
また、特許文献１に記載されている技術では、ユーザによって発生された指定操作音は、ユーザの操作の有無を判定することにのみ利用されているという問題があった。すなわち、特許文献１に記載されている技術では、発生した音をユーザ自身が楽しむという視点に欠けているという問題があった。
【０００６】
本発明は、上記課題に鑑みてなされたものであり、ユーザの操作に応じて生じる音声を用いて、簡易に、かつ、高精度に、ユーザの所望する情報を特定するとともに、ユーザが情報入力操作を楽しむことができる技術を提供することを目的とする。
【課題を解決するための手段】
【０００７】
上記の課題を解決するため、請求項１の発明は、ユーザの操作に応じて入力情報を受け付ける情報受付システムであって、物体で擦られたときに特有の第１旋律を生じるように調整された操作面および前記操作面と異なる貼付面が形成された第１操作対象部材と、情報受付装置とを備え、前記情報受付装置は、前記入力情報の候補となる第１候補情報を前記第１旋律に関連づけて記憶する記憶手段と、周囲の環境において生じる音声を観測しつつ、観測結果を観測情報として取得する観測手段と、前記観測手段により取得された観測情報における前記第１旋律の存否を判定するとともに、前記第１旋律が存在すると判定したときに、当該第１旋律に関連づけられた第１候補情報を、前記入力情報として選択する選択手段とを備え、前記第１操作対象部材は、前記貼付面を前記情報受付装置に貼り付けることが可能であるとともに前記情報受付装置に貼り付いた状態の前記貼付面を前記情報受付装置から剥がすことが可能であることにより前記情報受付装置に対して着脱自在とされており、光を透過する透明材料で形成された部分を含む。
【００１１】
また、請求項２の発明は、請求項１の発明に係る情報受付システムであって、前記第１操作対象部材は、前記情報受付装置を収納する収納部材を構成している。
【００１２】
また、請求項３の発明は、請求項１または２の発明に係る情報受付システムであって、物体で擦られたときに、前記第１旋律と異なる特有の第２旋律を生じるように調整された操作面が形成された第２操作対象部材をさらに備え、前記記憶手段は、前記入力情報の候補となる第２候補情報を前記第２旋律に関連づけて記憶し、前記選択手段は、前記観測手段により取得された観測情報における前記第２旋律の存否を判定するとともに、前記第２旋律が存在すると判定したときに、当該第２旋律に関連づけられた第２候補情報を、前記入力情報として選択する。
【００１３】
また、請求項４の発明は、請求項１ないし３のいずれかの発明に係る情報受付システムであって、前記第１旋律は、特有の部分旋律を含み、前記記憶手段は、前記入力情報の候補となる第３候補情報を前記部分旋律に関連づけて記憶し、前記選択手段は、前記観測手段により取得された観測情報における前記部分旋律の存否を判定するとともに、前記部分旋律が存在すると判定したときに、当該部分旋律に関連づけられた第３候補情報を、前記入力情報として選択する。
【００１４】
また、請求項５の発明は、請求項４の発明に係る情報受付システムであって、前記選択手段は、前記観測手段により取得された観測情報における前記第１旋律の存否を判定するとともに、前記第１旋律が存在すると判定したときに、当該第１旋律に関連づけられた第１候補情報を、前記入力情報として選択する第１選択手段と、前記観測手段により取得された観測情報における前記部分旋律の存否を判定するとともに、前記部分旋律が存在すると判定したときに、当該部分旋律に関連づけられた第３候補情報を、前記入力情報として選択する第２選択手段とを備え、前記情報受付装置は、前記第１選択手段に電力供給がされる、もしくは通常電力消費状態で動作する第１動作モードと、前記第１選択手段に対する電力供給が停止、もしくは低電力消費状態で動作する第２動作モードとの間で、前記情報受付装置の動作モードを切り替える切替手段をさらに備え、前記切替手段は、前記第３候補情報が前記入力情報として選択されたときに、前記情報受付装置の動作モードを前記第２動作モードから前記第１動作モードに切り替える。
また、請求項６の発明は、ユーザの操作に応じて入力情報を受け付ける情報受付システムであって、物体で擦られたときに特有の第１旋律を生じるように調整された操作面が形成された第１操作対象部材と、情報受付装置とを備え、前記情報受付装置は、前記入力情報の候補となる第１候補情報を前記第１旋律に関連づけて記憶するとともに、前記入力情報の候補となる第３候補情報を前記第１旋律に含まれる特有の部分旋律に関連づけて記憶する記憶手段と、周囲の環境において生じる音声を観測しつつ、観測結果を観測情報として取得する観測手段と、前記観測手段により取得された観測情報における前記第１旋律の存否を判定するとともに、前記第１旋律が存在すると判定したときに、当該第１旋律に関連づけられた第１候補情報を、前記入力情報として選択する第１選択手段と、前記観測手段により取得された観測情報における前記部分旋律の存否を判定するとともに、前記部分旋律が存在すると判定したときに、当該部分旋律に関連づけられた第３候補情報を、前記入力情報として選択する第２選択手段と、前記第１選択手段に電力供給がされる、もしくは通常電力消費状態で動作する第１動作モードと、前記第１選択手段に対する電力供給が停止、もしくは低電力消費状態で動作する第２動作モードとの間で、前記情報受付装置の動作モードを切り替える切替手段とを備え、前記切替手段は、前記第３候補情報が前記入力情報として選択されたときに、前記情報受付装置の動作モードを前記第２動作モードから前記第１動作モードに切り替える。
【００１５】
また、請求項７の発明は、物体の接触により特有の第１旋律を生じるように調整された操作面が形成された第１操作対象部材を備えるコンピュータにより読み取り可能なプログラムであって、前記プログラムの前記コンピュータによる実行は、前記コンピュータを、前記入力情報の候補となる第１候補情報を前記第１旋律に関連づけて記憶するとともに、前記入力情報の候補となる第３候補情報を前記第１旋律に含まれる特有の部分旋律に関連づけて記憶する記憶手段と、周囲の環境において生じる音声を観測しつつ、観測結果を観測情報として取得する観測手段と、前記観測手段により取得された観測情報における前記第１旋律の存否を判定するとともに、前記第１旋律が存在すると判定したときに、当該第１旋律に関連づけられた第１候補情報を、前記入力情報として選択する第１選択手段と、前記観測手段により取得された観測情報における前記部分旋律の存否を判定するとともに、前記部分旋律が存在すると判定したときに、当該部分旋律に関連づけられた第３候補情報を、前記入力情報として選択する第２選択手段と、前記第１選択手段に電力供給がされる、もしくは通常電力消費状態で動作する第１動作モードと、前記第１選択手段に対する電力供給が停止、もしくは低電力消費状態で動作する第２動作モードとの間で、前記コンピュータの動作モードを切り替える切替手段とを備え、前記切替手段は、前記第３候補情報が前記入力情報として選択されたときに、前記コンピュータの動作モードを前記第２動作モードから前記第１動作モードに切り替える情報受付システムとして機能させる。
【００１６】
また、請求項８の発明は、物体の接触により特有の第１旋律を生じるように調整された操作面をユーザが操作することによって情報受付装置に入力情報を入力する情報入力方法であって、前記入力情報の候補となる第１候補情報を前記第１旋律に関連づけて記憶する工程と、前記入力情報の候補となる第３候補情報を前記第１旋律に含まれる特有の部分旋律に関連づけて記憶する工程と、周囲の環境において生じる音声を観測しつつ、観測結果を観測情報として取得する工程と、取得された観測情報における前記第１旋律の存否を判定する工程と、取得された観測情報における前記部分旋律の存否を判定する工程と、前記第１旋律が存在すると判定されたときに、当該第１旋律に関連づけられた第１候補情報を、前記入力情報として第１選択手段により選択する工程と、前記部分旋律が存在すると判定されたときに、当該部分旋律に関連づけられた第３候補情報を、前記入力情報として第２選択手段により選択する工程と、前記第１選択手段に電力供給がされる、もしくは通常電力消費状態で動作する第１動作モードと、前記第１選択手段に対する電力供給が停止、もしくは低電力消費状態で動作する第２動作モードとの間で、前記情報受付装置の動作モードを切り替える切替手段により、前記第３候補情報が前記入力情報として選択されたときに、前記情報受付装置の動作モードを前記第２動作モードから前記第１動作モードに切り替える工程とを有する。
【発明の効果】
【００１７】
請求項１ないし７に記載の発明は、物体で擦られたときに特有の第１旋律を生じるように調整された操作面が形成された第１操作対象部材を備えており、周囲の環境において生じる音声を観測しつつ、観測結果を観測情報として取得し、取得された観測情報における第１旋律の存否を判定するとともに、第１旋律が存在すると判定したときに、当該第１旋律に関連づけられた第１候補情報を、入力情報として選択する。このように、意図的に調整された操作面を用いることにより、観測された観測情報における第１旋律の存否判定の精度が向上する。また、ユーザによる操作がされたか否かを、第１旋律の発生の有無によって判定することにより、ユーザ操作自体を、ユーザが楽しむことができる。
【００１８】
請求項８に記載の発明は、物体で擦られたときに特有の第１旋律を生じるように調整された操作面が形成された第１捜査対象部材を擦り、周囲の環境において生じる音声を観測しつつ、観測結果を観測情報として取得し、取得された観測情報における第１旋律の存否を判定するとともに、第１旋律が存在すると判定したときに、当該第１旋律に関連づけられた第１候補情報を、入力情報として選択する。このように、意図的に調整された操作面を用いることにより、観測された観測情報における第１旋律の存否判定の精度が向上する。また、ユーザによる操作がされたか否かを、第１旋律の発生の有無によって判定することにより、ユーザ操作自体を、ユーザが楽しむことができる。
【図面の簡単な説明】
【００１９】
【図１】情報受付システムを示す図である。
【図２】第１操作対象部材を示す図である。
【図３】情報受付装置のブロック図である。
【図４】サンプル素材について、人が指で表面を擦ったときに発生する摩擦音の周波数分布を解析した図である。
【図５】サンプル素材について、人が指で表面を擦ったときに発生する摩擦音の周波数分布を解析した図である。
【図６】サンプル素材について、人が指で表面を擦ったときに発生する摩擦音の周波数分布を解析した図である。
【図７】第１操作対象部材および第２操作対象部材に定義される複数の領域を例示する図である。
【図８】ＲＡＭに記憶されるデータベースを例示する図である。
【図９】ＭＰＵにより実現される機能ブロックをデータの流れとともに示す図である。
【図１０】記憶装置に記憶されるデータベースを例示する図である。
【図１１】ＣＰＵにより実現される機能ブロックをデータの流れとともに示す図である。
【図１２】情報受付装置のＭＰＵの動作を示す流れ図である。
【図１３】ＣＰＵの動作を示す流れ図である。
【発明を実施するための形態】
【００２０】
以下、本発明の好適な実施の形態について、添付の図面を参照しつつ、詳細に説明する。ただし、以下の説明において特に断らない限り、方向や向きに関する記述は、当該説明の便宜上、図面に対応するものであり、例えば実施品、製品または権利範囲等を限定するものではない。
【００２１】
＜１．  実施の形態＞
図１は、情報受付システム１を示す図である。情報受付システム１は、第１操作対象部材２と、第２操作対象部材３と、情報受付装置４とを備えている。詳細は後述するが、情報受付システム１は、ユーザの操作に応じて入力される情報（入力情報）を受け付けるシステムとして構成されている。
【００２２】
図２は、第１操作対象部材２を示す図である。なお、図２では、第１操作対象部材２の裏面が観察できるように、第１操作対象部材２の一部を、めくったかのような状態として図示している。
【００２３】
第１操作対象部材２は、Ｚ軸方向の厚みが薄く、フィルム状の部材として構成されている。第１操作対象部材２の（＋Ｚ）側の表面は操作面２０を形成している。操作面２０については後述する。
【００２４】
また、第１操作対象部材２の（−Ｚ）側の表面は貼付面２１を形成している。詳細は図示しないが、貼付面２１の表面には粘着性材料が塗布されており、これによって第１操作対象部材２はシール部材を構成している。第１操作対象部材２は、図１において仮想線（二点鎖線）で示すように、情報受付装置４に貼付することが可能とされている。
【００２５】
なお、貼付面２１に塗布される粘着性材料としては、貼ったり剥がしたりを繰り返し行えるような材料（剥がしたときに粘着性を失わない材料）を採用することが好ましい。これにより、第１操作対象部材２は、情報受付装置４に対して着脱自在とされている。したがって、ユーザは、自身の意思で第１操作対象部材２を交換したり、位置を変更したりすることができる。すなわち、ユーザは、自分の好みに応じて情報受付システム１をカスタマイズすることができる。
【００２６】
図１に戻って、第２操作対象部材３は、情報受付装置４の筐体の一部分を構成している。すなわち、情報受付装置４の筐体の一部の部材が第２操作対象部材３を形成している。したがって、第２操作対象部材３は、ユーザによって交換したり位置を変更したりすることのできない部材となっている。
【００２７】
また、第２操作対象部材３の外表面は操作面３０を形成しているが、操作面３０については後述する。
【００２８】
図３は、情報受付装置４のブロック図である。情報受付装置４は、ＣＰＵ４０、記憶装置４１、操作部４２、表示部４３、マイク４４、スピーカ４５および通信部４６を備えている。
【００２９】
情報受付装置４は、動作モードとして、第１動作モードと第２動作モードとを有している。第１動作モードとは、情報受付装置４の機能が制限されておらず、通常の消費電力状態で動作する動作モードである。一方、第２動作モードとは、情報受付装置４が、第１動作モードに比べて低消費電力状態で動作する動作モードである。
【００３０】
以下では、情報受付装置４の第２動作モードにおいて、ＣＰＵ４０に対する電力供給が停止される例を説明する。すなわち、ＣＰＵ４０が起動しているときの状態（ＣＰＵ４０に電力が供給されている状態）を「第１動作モード」と称し、ＣＰＵ４０が起動していない状態（ＣＰＵ４０に電力が供給されていない状態）を「第２動作モード」と称する。また、情報受付装置４は、第２動作モードにおいてＣＰＵ４０における電力消費のみを抑制するのではなく、例えば、表示部４３などの構成についても電力供給が停止される。
【００３１】
なお、第２動作モードにおいて、ＣＰＵ４０や表示部４３などの機能の一部が制限されることにより、低消費電力状態を実現するように構成してもよい。すなわち、低消費電力状態を実現するためには、必ずしも対象となる構成に対する電力供給を停止しなければならないわけではない。
【００３２】
情報受付装置４は、ユーザの所望する動作を実現するにあたり、当該動作を実現するためのコマンドやパラメータなどの情報（ユーザの所望する情報）を受け付ける装置として構成されている。ただし、情報受付装置４は、携帯端末（スマートフォン、携帯電話、ＰＤＡなど）に限定されるものではない。
【００３３】
ＣＰＵ４０は、記憶装置４１に格納されているプログラム４１０を読み取りつつ実行し、各種データの演算や制御信号の生成等を行う。これにより、ＣＰＵ４０は、情報受付装置４が備える各構成を制御するとともに、各種データを演算し作成する機能を有している。すなわち、情報受付装置４は、一般的なコンピュータとして構成されている。
【００３４】
記憶装置４１は、情報受付装置４において各種データを記憶する機能を提供する。言い換えれば、記憶装置４１は、情報受付装置４において電子的に固定された情報を保存する。
【００３５】
記憶装置４１としては、ＣＰＵ４０の一時的なワーキングエリアとして使用されるＲＡＭやバッファ、読み取り専用のＲＯＭ、不揮発性のメモリ（例えばＮＡＮＤメモリなど）、比較的大容量のデータを記憶するハードディスク、専用の読み取り装置に装着された可搬性の記憶媒体（ＰＣカード、ＳＤカード、あるいは、ＵＳＢメモリなど）等が該当する。図３においては、記憶装置４１を、あたかも１つの構造物であるかのように図示している。しかし、通常、記憶装置４１は、上記例示した各種装置（あるいは媒体）のうち、必要に応じて採用される複数種類の装置から構成されるものである。すなわち、記憶装置４１は、ＣＰＵ４０によりアクセス可能なデータを記憶する機能を有する装置群の総称である。
【００３６】
また、現実のＣＰＵ４０は高速にアクセス可能なＲＡＭを内部に備えた電子回路である。しかし、このようなＣＰＵ４０が備える記憶装置も、説明の都合上、記憶装置４１に含めて説明する。すなわち、一時的にＣＰＵ４０自体が記憶するデータも、記憶装置４１が記憶するとして説明する。図３に示すように、記憶装置４１は、プログラム４１０、データベース４１１、および、観測情報４１２などを記憶するために使用される。
【００３７】
操作部４２は、情報受付装置４に対してユーザが指示を入力するために操作するハードウェアである。操作部４２としては、例えば、各種キーやボタン類、スイッチ、タッチパネル、ポインティングデバイス、あるいは、ジョグダイヤルなどが該当する。
【００３８】
表示部４３は、各種データを表示することによりオペレータ等に対して出力する機能を有するハードウェアである。表示部４３としては、例えば、ランプやＬＥＤ、ＣＲＴ、液晶ディスプレイや液晶パネルなどが該当する。
【００３９】
マイク４４は、周囲の音声を電気信号に変換する機能を有している。マイク４４によって取得された電気信号は、観測情報４９１として記憶される。すなわち、マイク４４は、周囲の環境において生じる音を観測して、観測結果を観測情報４９１として取得する機能を有している。
【００４０】
スピーカ４５は、ＣＰＵ４０からの制御信号に応じて、電気的な信号を振動に変換することにより空気を振動させて、音声を再生する機能を有している。これにより、情報受付装置４は、音楽や通話音（受信した相手方の音声）などを再生する機器としての機能を有している。
【００４１】
通信部４６は、情報受付装置４が図示しない外部の装置などとデータ通信や音声通話などを行う機能を提供する。
【００４２】
また、情報受付装置４は、図３に示すように、ＭＰＵ４７、ＲＯＭ４８およびＲＡＭ４９を備えている。
【００４３】
ＭＰＵ４７は、ＣＰＵ４０に比べて動作時の消費電力の少ない演算装置である。ＭＰＵ４７は、ＲＯＭ４８に記憶されているプログラム４８０を実行しつつ、マイク４４から入力される電気信号に基づいて、観測情報４９１を作成し、ＲＡＭ４９に格納する。
【００４４】
なお、詳細は後述するが、ＭＰＵ４７は、観測情報４９１を分析して、その結果に応じて、ＣＰＵ４０を起動させる（電力供給を再開させる。）機能を有している。また、情報受付装置４のＭＰＵ４７は、情報受付装置４における第２動作モードにおいても、電力が供給されており、動作することが可能である。
【００４５】
ＲＯＭ４８は、不揮発性の読み取り専用の記憶装置である。ＲＯＭ４８は、ＭＰＵ４７によって実行されるプログラム４８０を格納する。
【００４６】
ＲＡＭ４９は、比較的高速にアクセス可能で、データの書き込みも可能な、揮発性の記憶装置である。ＲＡＭ４９は、主に、ＭＰＵ４７のワーキングエリアとして使用される。
【００４７】
なお、図３では、ＭＰＵ４７とは異なる別の構成として、ＲＯＭ４８およびＲＡＭ４９を図示しているが、これらの記憶装置を含めて、ＭＰＵ４７としてもよい。
【００４８】
ここで、第２操作対象部材３の操作面３０について説明する。例えば、紙ヤスリの表面を指で摩擦する例を考えてみる。紙ヤスリの番手（目の粗さ）に応じて様々な摩擦音が生じるが、擦る者が異なっても、あるいは、擦る物体が異なっても、同じ紙ヤスリを擦れば、そこから発生する摩擦音は近似している。すなわち、物体が操作面３０に接触しつつ移動する場合について、操作面３０の表面構造（起伏など）や材質に特有の摩擦音が生じることが分かる。このことから、物体で操作面３０を擦ったときに発生する音については、操作面３０の材質や摩擦係数などの表面構造に特有の音を生じていることが推測される。
【００４９】
このことは、経験的に知られているものである。次に、客観的な実験によって上記の事実を検証した結果を示す。
【００５０】
図４ないし図６は、サンプル素材について、人が指で表面を擦ったときに発生する摩擦音の周波数分布を解析した図である。なお、図４ないし図６に示す例において、使用したサンプル素材は互いに異なっている。また、図４ないし図６では、いずれも試験者が６回の試行を繰り返すことにより発生した６回分の摩擦音について図示している。
【００５１】
図４ないし図６から明らかなように、いずれのサンプル素材においても、６回の試行において指で擦ったときに発生する摩擦音には互いに相関が見られる。すなわち、同一のサンプル素材については、発生する摩擦音に一定の相関が見られる（ここに示す例では、互いの周波数分布が似ている。）。
【００５２】
一方で、あるサンプル素材において発生する摩擦音の特徴（例えば図４に示す周波数分布）と、他のサンプル素材において発生する摩擦音の特徴（例えば図５に示す周波数分布）との間には、相関が低いことも分かる。言い換えれば、異なるサンプル素材において発生する摩擦音の周波数分布は似ていない。
【００５３】
以上のことから、操作面３０の表面構造を決定すれば、当該操作面３０に物体が接触するときに発生する摩擦音を比較的高精度で予測することができる。逆に言えば、情報受付装置４において、特有の摩擦音を生じるように調整された操作面３０を第２操作対象部材３として採用すれば、当該操作面３０が操作（摩擦）されたか否かは、当該特有の音が生じたか否かを観測することにより判定することができる。
【００５４】
なお、操作面３０の表面構造を意図する特有の音を生じるように調整する手法としては、材料の選択の他に、スパッタリングやエッチングなどによって材料表面の起伏形状を調整する手法などを用いることができる。
【００５５】
図７は、第１操作対象部材２および第２操作対象部材３に定義される複数の領域を例示する図である。
【００５６】
第１操作対象部材２の操作面２０には、領域２００ないし２０９が定義されている。また、第２操作対象部材３の操作面３０には、領域３００ないし３０９が定義されている。各領域２００ないし２０９および３００ないし３０９は、物体によって擦られることにより、それぞれ特有の音を生じるように調整された領域である。
【００５７】
図７では、各領域２００ないし２０９および３００ないし３０９において、同じ音を生じる領域を同じハッチングを用いて図示している。
【００５８】
すなわち、領域２００，２０１，２０２，２０７，２０８，２０９，３００，３０１，３０２，３０７，３０８，３０９は、摩擦音として、いずれも共通の音を生じる領域である。また、領域２０３，２０６，３０５は、摩擦音として、いずれも共通の音を生じる領域である。
【００５９】
一方で、領域２００，２０３，２０４，２０５，３０３，３０４，３０６は、摩擦音として、いずれも互いに異なる音を生じる領域である。
【００６０】
ここで、第１操作対象部材２の（＋Ｙ）側の端部から（−Ｙ）側の端部まで、（−Ｙ）方向にユーザが指で操作面２０を擦る場合を想定する。以下の説明では、このような操作を「第１ユーザ操作」と称するものとする。
【００６１】
第１ユーザ操作において、指が領域２００ないし２０９内を擦っているとき、操作面２０からは、擦られている領域に応じた特有の音がそれぞれ発生する。そして、擦る方向が（−Ｙ）方向であるため、各特有の音の継続時間は、各領域２００ないし２０９のＹ軸方向の幅を指の移動速度で除した値となる。
【００６２】
人であるユーザが指を動かしているため、第１ユーザ操作における当該指の移動速度は、厳密には一定ではない。しかし、意図的に途中で指を止めたりしない限り、指の移動速度は概ね一定とみなすことができ、発生する音の継続時間は、概ね、対応する各領域のＹ軸方向の幅に依存するとみなせる。
【００６３】
すなわち、操作面２０に、領域２００ないし２０９が定義され、それぞれ特有の音を生じるように調整されていることから、第１ユーザ操作が開始されてから、完了するまでの間に、複数の特有の音が、領域の配置順に応じて発生する。そして、それぞれの音の継続時間は、概ね、対応する領域のＹ軸方向の幅で決められている。
【００６４】
したがって、第１ユーザ操作によって、操作面２０から特有の音階（メロディー）が生じることになる。すなわち、第１操作対象部材２は、物体で擦られたときに特有の音階を生じるように調整された操作面２０が形成された部材である。以下の説明では、第１操作対象部材２に対して、第１ユーザ操作を実行したときに生じる音階を「第１音階」と称する。
【００６５】
なお、第２操作対象部材３の（＋Ｙ）側の端部から（−Ｙ）側の端部まで、（−Ｙ）方向にユーザが指で操作面３０を擦る場合を想定すれば、第１操作対象部材２と同様のことが言える。以下の説明では、このような操作を「第２ユーザ操作」と称し、第２ユーザ操作により、操作面３０から発生する音階を第２音階と称する。
【００６６】
図７に示すように、領域２００，２０１，２０２は、いずれもＹ軸方向の幅が同じである。したがって、第１ユーザ操作において、操作開始から、指が領域２０２を出るまでの間に、同じ間隔、同じ継続時間で、３回同じ音が鳴ることになる。これらの音は、第１ユーザ操作における第１音階の一部を構成する部分音階である。以下の説明では、第１ユーザ操作により領域２００，２０１，２０２によって発生する部分音階を、特に、「認識用部分音階」と称する。
【００６７】
領域２０７，２０８，２０９は、領域２００，２０１，２０２と同一のパターンとして構成されている。したがって、第１ユーザ操作により、認識用部分音階が後半にも発生することになる。言い換えれば、第１ユーザ操作によって発生する第１音階は、前半の認識用部分音階と、中央の部分音階と、後半の認識用部分音階とに分割することができる。
【００６８】
また、第２操作対象部材３についても、領域３００，３０１，３０２および領域３０７，３０８，３０９は、いずれも領域２００，２０１，２０２と同一のパターンとして構成されている。したがって、第２ユーザ操作によって発生する第２音階も、第１音階と同様に、前半の認識用部分音階と、中央の部分音階と、後半の認識用部分音階とに分割することができる。
【００６９】
図７に示す例では、第１操作対象部材２（第１音階）および第２操作対象部材３（第２音階）において、中央の部分音階は互いに異なる一方で、認識用部分音階はいずれも共通である。
【００７０】
図８は、ＲＡＭ４９に記憶されるデータベース４９０を例示する図である。データベース４９０は、１つの候補情報（入力情報の候補となる情報）について１つのレコードが作成されるテーブル構造を有している。
【００７１】
ここでは、１つの共通の認識用部分音階のみ定義し、当該認識用部分音階の周波数分布により、観測情報４９１における当該認識用部分音階の有無を判定する。したがって、図８に示す例において、データベース４９０には、１個のレコードのみが作成されており、１個の候補情報のみが格納されている。ただし、データベース４９０におけるレコードは、１個に限定されるものではない。
【００７２】
また、データベース４９０は、プログラム４８０に含まれている情報であり、ＭＰＵ４７によってＲＯＭ４８から読み出されて、ＲＡＭ４９に格納される情報である。
【００７３】
図９は、ＭＰＵ４７により実現される機能ブロックをデータの流れとともに示す図である。図９に示す第２選択部４７０およびインタフェース部４７１は、ＭＰＵ４７がプログラム４８０に従って動作することにより実現される機能ブロックである。
【００７４】
第２選択部４７０は、マイク４４により取得された観測情報４９１における認識用部分音階の存否を判定する。より詳細には、第２選択部４７０は、観測情報４９１に含まれる音声を解析して、当該音声の周波数分布を取得する。そして、取得した音声の周波数分布と、データベース４９０に格納されている認識用部分音階の周波数分布とを比較して、音声の周波数分布が認識用部分音階の周波数分布と近似する場合に、当該音声に認識用部分音階が含まれていると判定する。
【００７５】
なお、音声の周波数分布において、すべての周波数帯について、認識用部分音階の周波数分布と比較する必要はない。例えば、試行を繰り返した結果、比較的再現性の高い周波数帯における周波数分布のみを比較するように構成してもよい。また、比較される周波数帯は、可聴音域に限定されるものでもない。
【００７６】
また、第２選択部４７０は、認識用部分音階が存在すると判定したときに、データベース４９０において、当該認識用部分音階に関連づけられた候補情報を、入力情報４９２として選択する。そして、第２選択部４７０は、選択した候補情報に基づいて、入力情報４９２を作成する機能を有している。
【００７７】
認識用部分音階は、第１音階または第２音階の一部分であり、これらの音階に比べて、比較的短い音階である。また、認識用部分音階は、第１音階および第２音階に共通の音階として定義されている。第２選択部４７０は、このような認識用部分音階の有無のみを、観測情報４９１に記録された音声から探索し、当該認識用部分音階が含まれている場合に、入力情報４９２を作成する。そして、入力情報４９２として選択される情報は、「転送コマンド」のみであり、いわば候補情報は固定されている。すなわち、ＭＰＵ４７において実現される第２選択部４７０は、後述する第１選択部４００に対して、補助的で、簡易な、候補情報選択機能を提供する。
【００７８】
インタフェース部４７１は、入力情報４９２を参照し、入力情報４９２に、転送コマンドが格納されている場合、観測情報４９１をＣＰＵ４０に転送する。このとき、インタフェース部４７１は、情報受付装置４が第２動作モードで動作している場合には、動作モードを第１動作モードに切り替えてから、観測情報４９１をＣＰＵ４０に転送する。
【００７９】
すなわち、インタフェース部４７１は、情報受付装置４が第２動作モードで動作している場合において、転送コマンドが入力情報４９２として選択されたときに、情報受付装置４の動作モードを第２動作モードから第１動作モードに切り替える機能を有している。
【００８０】
第２動作モードにおいて、ＣＰＵ４０は、電力供給を絶たれている。したがって、第２動作モードのままでは、ＣＰＵ４０は、観測情報４９１を処理することができない状態である。しかし、インタフェース部４７１は、観測情報４９１を転送する前に、第２動作モードを第１動作モードに切り替える。これにより、ＣＰＵ４０に対する電力供給が開始され、ＣＰＵ４０が観測情報４９１を処理することが可能な状態となる。
【００８１】
なお、本実施の形態では、ＣＰＵ４０に向けて転送された観測情報４９１は、ＣＰＵ４０により観測情報４１２として、記憶装置４１に記憶される。本実施の形態において、観測情報４１２は、観測情報４９１と同一の情報として説明するが、必要に応じて加工されてもよい。
【００８２】
図１０は、記憶装置４１に記憶されるデータベース４１１を例示する図である。データベース４１１は、１つの候補情報（入力情報の候補となる情報）について１つのレコードが作成されるテーブル構造を有している。
【００８３】
図１０に示す例では、２つの音階（第１音階および第２音階）のみ定義し、当該音階の周波数分布により、観測情報４１２における当該音階の有無を判定する。したがって、図１０に示す例において、データベース４１１には、２個のレコードのみが作成されており、２個の候補情報のみが格納されている。ただし、データベース４１１におけるレコードは、２個に限定されるものではない。
【００８４】
図１１は、ＣＰＵ４０により実現される機能ブロックをデータの流れとともに示す図である。図１１に示す第１選択部４００および実行部４０１は、ＣＰＵ４０がプログラム４１０に従って動作することにより実現される機能ブロックである。
【００８５】
第１選択部４００は、マイク４４により取得され、ＭＰＵ４７によって転送された観測情報４１２における音階の存否を判定する。より詳細には、第１選択部４００は、観測情報４１２に含まれる音声を解析して、当該音声の周波数分布を取得する。そして、取得した音声の周波数分布と、データベース４１１に格納されている音階の周波数分布とを比較して、音声の周波数分布が音階の周波数分布と近似する場合に、当該音声に音階が含まれていると判定する。
【００８６】
なお、音声の周波数分布において、すべての周波数帯について、音階の周波数分布と比較する必要はない。例えば、試行を繰り返した結果、比較的再現性の高い周波数帯における周波数分布のみを比較するように構成してもよい。また、比較する周波数帯は、可聴音域に限定されるものでもない。
【００８７】
また、第１選択部４００は、音階の存否に基づいて、データベース４１１を検索する。そして、選択部４００は、複数の候補情報の中から、入力情報４１３となる候補情報を選択し、入力情報４１３を作成する。
【００８８】
実行部４０１は、入力情報４１３を参照して、コマンドを実行する機能を有する。実行部４０１は、入力情報４１３が「メール送信コマンド」である場合に、通信部４６を制御して電子メールを送信させる。このとき、実行部４０１は、表示部４３を制御して、表示部４３の画面の点灯を禁止する。また、実行部４０１は、入力情報４１３が「点灯コマンド」である場合に、表示部４３を制御して、表示部４３を点灯させる。
【００８９】
以上が、情報受付システム１の構成および機能の説明である。次に、情報受付装置４の動作について説明する。
【００９０】
図１２は、情報受付装置４のＭＰＵ４７の動作を示す流れ図である。ＭＰＵ４７は、電力源が投入されると、所定の初期設定（図示せず。）を実行した後、図１２に示す処理を開始する。なお、情報受付装置４に電源が投入されている以上、ＭＰＵ４７には電力が供給されている。
【００９１】
図１２に示す処理を開始すると、ＭＰＵ４７は、プログラム４８０からデータベース４９０をロードしてＲＡＭ４９に記憶する（ステップＳ１）。次に、ＭＰＵ４７は、マイク４４からの信号に基づいて、観測情報４９１を作成を開始し（ステップＳ２）、トリガの発生（ステップＳ３）を監視する状態となる。以下、この状態を「トリガ監視状態」と称する。
【００９２】
なお、ＭＰＵ４７は、観測情報４９１を解析した結果、所定の周波数帯において、閾値［ｄＢ］以上の音声を検出した場合に、トリガが発生したと判定する。ただし、トリガはこれに限定されるものではなく、例えば、所定の周期で到来するタイミングをトリガとしてもよい。あるいは、後述する認識用部分音階の存否自体をトリガとしてもよい。
【００９３】
トリガ監視状態において、トリガが発生すると（ステップＳ３においてＹｅｓ。）、第２選択部４７０は、観測情報４９１に基づいて、観測した音（周囲の環境音）から認識用部分音階に相当するとみなせる部分（例えば、トリガからの経過時間などから判断することができる。）の周波数分布を取得する。そして、当該環境音の部分の周波数分布と、データベース４９０に格納されている認識用部分音階の周波数分布とを比較して、認識用部分音階が観測情報４９１に存在しているか否かを判定する（ステップＳ４）。
【００９４】
ここで、検索キーとして用いる当該環境音の部分の周波数分布に類似する周波数分布が、データベース４９０の「部分音階」に存在していた場合、第２選択部４７０は、観測情報４９１に認識用部分音階が存在していたとみなしてステップＳ４においてＹｅｓと判定する。一方で、検索キーとして用いる当該環境音の部分の周波数分布に類似する周波数分布が、データベース４９０の「部分音階」の項目に存在していない場合、第２選択部４７０は、観測情報４９１に認識用部分音階が存在していなかったとみなしてステップＳ４においてＮｏと判定する。
【００９５】
ステップＳ４においてＮｏと判定されたとき、ＭＰＵ４７は、トリガとして検出された音声を含む環境音の部分は、物体によって操作面２０（または操作面３０）が擦られたときに発生した音声を含まない（すなわち、ユーザによる操作はされていない。）とみなして、トリガ監視状態に戻る。このように、操作面２０（または操作面３０）に対する操作（第１ユーザ操作または第２ユーザ操作）がされていないとみなされた場合、情報受付装置４は、入力情報４９２の作成を行うことはない。
【００９６】
したがって、観測情報４９１がＣＰＵ４０に向けて転送されることもなく、第２動作モードにおけるＣＰＵ４０の電力消費を抑制することができる。また、第１動作モードにおいても、ＣＰＵ４０に無駄な処理を強いることがない。
【００９７】
認識用部分音階の周波数分布は比較的厳密に定義されるため、操作面２０（または操作面３０）において発生する音声以外の音声によって認識用部分音階が存在するとみなされるおそれは、従来の技術に比べると低い。したがって、物体が操作面２０（または操作面３０）に接触したとき以外の音声によって、情報受付装置４が誤った入力情報４９２を作成する可能性は、従来の技術に比べて低いといえる。
【００９８】
ステップＳ４においてＹｅｓと判定されたとき、第２選択部４７０は、当該認識用部分音階の周波数分布に関連づけられている候補情報（ここでは転送コマンド）を選択し、当該候補情報に基づいて、入力情報４９２を作成する（ステップＳ５）。
【００９９】
このように、ステップＳ５が実行されることによって、入力情報４９２に示される候補情報が、ユーザによって入力された情報として情報受付装置４に受け付けられたこととなる。
【０１００】
入力情報４９２が作成されると、インタフェース部４７１は、情報受付装置４の動作モードが第２動作モードか否かを判定する（ステップＳ６）。
【０１０１】
ステップＳ６においてＹｅｓの場合、インタフェース部４７１は、情報受付装置４の動作モードを第１動作モードに切り替える（ステップＳ７）。すなわち、インタフェース部４７１は、ＣＰＵ４０に対する電力供給を再開させる。これにより、ＣＰＵ４０は、観測情報４９１を処理できる状態に遷移する。
【０１０２】
ステップＳ６においてＮｏと判定した場合（動作モードが第１動作モードの場合）、または、ステップＳ７の処理が完了した場合、インタフェース部４７１は、入力情報４９２（転送コマンド）を実行して、観測情報４９１をＣＰＵ４０に向けて転送する（ステップＳ８）。そして、観測情報４９１の転送が完了すると、ＭＰＵ４７は、トリガ監視状態に戻る。
【０１０３】
このように、ＭＰＵ４７は、観測情報４９１に認識用部分音階が存在しているときに、当該認識用部分音階に関連づけられている転送コマンドを選択して実行することにより、当該観測情報４９１をＣＰＵ４０に向けて転送する。
【０１０４】
以上がＭＰＵ４７の動作である。次に、ＣＰＵ４０の動作について説明する。
【０１０５】
図１３は、ＣＰＵ４０の動作を示す流れ図である。
【０１０６】
なお、情報受付装置４が第２動作モードのとき、ＣＰＵ４０は電力供給を絶たれている。したがって、図１３に示す処理は、情報受付装置４の動作モードが第２動作モードのときには実行されない処理である。また、図１３に示す各工程が開始されるまでに、すでに記憶装置４１にデータベース４１１が記憶されているものとする。また、情報受付装置４に電源が投入されたとき、情報受付装置４は第１動作モードでの動作を開始するものとする。
【０１０７】
図１３に示す処理を開始すると、ＣＰＵ４０は、ＭＰＵ４７から観測情報４９１が転送されてきているか否か（ステップＳ１１）、および、動作モードを第２動作モードに移行させるべき状況か否か（ステップＳ１５）を監視する状態となる。以下、この状態を単に「監視状態」と称する。
【０１０８】
監視状態において、ＭＰＵ４７から観測情報４９１が転送されてくると、ＣＰＵ４０は、ステップＳ１１においてＹｅｓと判定し、転送されてきた観測情報４９１に基づいて観測情報４１２を作成する。これにより、観測情報４１２が記憶装置４１に記憶される。
【０１０９】
次に、第１選択部４００は、当該観測情報４１２に含まれる音声の周波数分布を検索キーとして、候補情報を選択するためのデータベース４１１の検索を実行する。これにより、第１選択部４００は、観測情報４１２に、データベース４１１に定義された音階（第１音階または第２音階）が存在するか否かを判定する（ステップＳ１２）。
【０１１０】
ステップＳ１２においてＮｏの場合、第１選択部４００は、ユーザによる操作がされていないとみなして、入力情報４１３を作成することなく、監視状態に戻る。
【０１１１】
一方、ステップＳ１２においてＹｅｓの場合、第１選択部４００は、検出された音階の周波数分布に関連づけられている候補情報をデータベース４１１から入力情報４１３として選択する。そして、第１選択部４００は、選択した候補情報に基づいて、入力情報４１３を作成する（ステップＳ１３）。
【０１１２】
ステップＳ１３が実行されることによって、入力情報４１３に示される候補情報が、ユーザによって入力された情報として情報受付装置４に受け付けられたこととなる。したがって、ステップＳ１３が実行された後、入力情報４１３に応じた処理が実行部４０１により実行される（ステップＳ１４）。なお、ステップＳ１４を実行することにより、入力情報４１３に応じた処理を実行すると、ＣＰＵ４０は、再び、監視状態に戻る。
【０１１３】
監視状態において、第２動作モードに移行すべき状況が生じると、ＣＰＵ４０は、ステップＳ１５においてＹｅｓと判定し、情報受付装置４の動作モードを第１動作モードから第２動作モードに切り替える（ステップＳ１６）。
【０１１４】
具体的には、ＣＰＵ４０は、表示部４３における表示を停止させ、バックライト等を消灯させるとともに、ＣＰＵ４０への電力供給を停止させる。これにより、情報受付装置４は、消費電力が抑制された状態に移行する。なお、すでに説明したように、第２動作モードにおいても、ＭＰＵ４７に対する電力供給は継続されており、ステップＳ１ないしＳ７の各工程は実行可能な状態にある。
【０１１５】
なお、第１動作モードから第２動作モードに移行すべき状況とは、ユーザが第２動作モードへの移行を情報受付装置４に対して直接指示した場合や、情報受付装置４に対するユーザによる操作が一定時間されなかった場合などが想定される。ただし、このような状況に限定されるものではない。
【０１１６】
次に、ユーザが、情報受付装置４を用いて、所望する情報を入力情報４１３として入力する情報入力方法について説明する。以下の説明では、ユーザが、情報受付装置４に対して、家族に帰宅を知らせる電子メールを送信させる例について説明する。
【０１１７】
なお、ユーザによる操作に先立って、データベース４１１およびデータベース４９０は、すでに記憶されているものとする。また、情報受付装置４は、すでに観測情報４９１の作成を開始しており（ステップＳ２）、ＭＰＵ４７はトリガ監視状態となっているものとする。
【０１１８】
ユーザは、情報受付装置４に貼付されている第１操作対象部材２の操作面２０を、（＋Ｙ）側の端部から（−Ｙ）側の端部まで指で（−Ｙ）方向に擦る。すなわち、ユーザは第１ユーザ操作を行う。
【０１１９】
このように、ユーザが指を操作面２０に接触させて擦ることにより、操作面２０から特有の摩擦音が発生する。この摩擦音は、操作面２０に領域２００ないし２０９が形成されていることにより、第１音階となる。
【０１２０】
この第１音階を含む周囲の環境の音声は、マイク４４によって電気信号に変換され、ＭＰＵ４７により観測情報４９１が作成される。また、ＭＰＵ４７は、当該摩擦音（第１音階）により、トリガ発生を確認し（ステップＳ３においてＹｅｓと判定し）、データベース４９０を参照することにより、当該観測情報４９１に認識用部分音階が含まれているか否かを判定する（ステップＳ４）。
【０１２１】
ここで作成されている観測情報４９１は、操作面２０を擦ったことによって発生した第１音階を含んでいる。したがって、当該環境音の周波数分布は、認識用部分音階の周波数分布に類似する部分を含むものである。したがって、この場合、第２選択部４７０は、認識用部分音階が存在すると判定する（ステップＳ４においてＹｅｓ。）。そして、第２選択部４７０は、検出された認識用部分音階の周波数分布に関連づけられている候補情報を選択して、入力情報４９２を作成する（ステップＳ５）。
【０１２２】
ここまでの処理は、情報受付装置４が第２動作モードで動作しているときにも実行可能な処理である。すなわち、ユーザは、情報受付装置４の動作モードを意識することなく、第１ユーザ操作を実行することができる。
【０１２３】
第２選択部４７０によって入力情報４９２が作成されると、インタフェース部４７１は、情報受付装置４の動作モードが第２動作モードであるか否かを確認し、第２動作モードである場合には、ステップＳ７を実行して第１動作モードに切り替える。
【０１２４】
ステップＳ６，Ｓ７により、以後は、ＣＰＵ４０が起動した状態となり、ＣＰＵ４０による処理が可能な状態となる。
【０１２５】
情報受付装置４が第１動作モードで動作している状態となると、インタフェース部４７１は、観測情報４９１をＣＰＵ４０に向けて送信する。これにより、観測情報４９１が観測情報４１２として記憶装置４１に記憶される。
【０１２６】
次に、第１選択部４００が観測情報４１２を解析して、データベース４１１に登録されている音階が当該観測情報４１２に含まれているか否かを判定する。ここで作成されている観測情報４１２（観測情報４９１）は、第１音階を含んでいる。したがって、第１選択部４００は、第１音階に関連づけられた候補情報（メール送信コマンド）を選択し、入力情報４１３を作成する（ステップＳ１３）。
【０１２７】
ここで選択されたメール送信コマンドは、固定メッセージ（帰宅を知らせる文面）を、固定宛先（家族）に送信するコマンドであるとする。当該メール送信コマンドを実行部４０１が実行する。
【０１２８】
すなわち、予め登録されている固定宛先に、予め登録されている固定メッセージを内容とする電子メールを送信するように、通信部４６を制御する。これにより、通信部４６が家族に帰宅を知らせるメールを当該家族宛に送信する。このとき、実行部４０１は、表示部４３を点灯させることがない。
【０１２９】
情報受付装置４は、第２動作モードにおいて、表示部４３が消灯状態となっている。この状態で、第１ユーザ操作がされても、ＭＰＵ４７は、ＣＰＵ４０を起動するだけで、表示部４３を点灯させることはない。また、ＣＰＵ４０（実行部４０１）も、表示部４３を点灯させることはない。
【０１３０】
したがって、情報受付装置４は、当該電子メールを、表示部４３を非表示状態にしたまま送信することができる。すなわち、比較的電力消費の大きいハードウェアである表示部４３を停止させたままで実行することにより、消費電力を抑制することができる。
【０１３１】
タッチパネルでは、コマンドを選択するために、ＧＵＩを表示しなければならないため、このような操作は困難である。タッチパネルにおいて、消灯状態の画面への最初のタッチで電子メールをいきなり送信するように構成すると、誤送信が頻発する。また、ハードウェアとしてのキーやボタンに、このような機能を割り付けることは可能ではあるが、その場合は、機能が限定的なキーやボタンを設けることになるため、操作部４２の汎用性が低下する。しかし、情報受付システム１では、ユーザが任意に選択し、レイアウト可能な、シール部材としての第１操作対象部材２を備え、ユーザがこれを操作することによって、このような機能（一発送信機能）を実現する。したがって、このような機能が不要なユーザは第１操作対象部材２を貼付しなければよいし、必要なユーザも好みの位置に第１操作対象部材２を貼付することができるので、操作部４２の汎用性が低下することもない。
【０１３２】
なお、第２操作対象部材３の操作面３０を擦ることによって生じる第２音階は、その周波数分布がデータベース４１１において「点灯コマンド」に関連づけられている。したがって、ユーザが第２ユーザ操作を実行すると、操作面３０から第２音階（認識用部分音階を含む。）が発生し、ステップＳ１４において点灯コマンドが実行されることとなる。
【０１３３】
すなわち、詳細な説明は省略するが、ユーザは、第２ユーザ操作を実行することによって、情報受付装置４が第２動作モードで動作しているときに、消灯されている表示部４３を、点灯させることができる。これによって、ユーザは、表示部４３に表示される情報を閲覧可能となる。
【０１３４】
以上のように、ユーザの操作に応じて入力情報を受け付ける情報受付システム１は、物体で擦られたときに特有の第１音階を生じるように調整された操作面２０が形成された第１操作対象部材２と、情報受付装置４とを備え、情報受付装置４は、入力情報４１３の候補となるメール送信コマンドを第１音階に関連づけるデータベース４１１を記憶する記憶装置４１と、周囲の環境において生じる音声を観測しつつ、観測結果を観測情報４９１として取得するマイク４４と、マイク４４により取得された観測情報４９１における第１音階の存否を判定するとともに、第１音階が存在すると判定したときに、当該第１音階に関連づけられたメール送信コマンドを、入力情報４１３として選択する第１選択部４００とを備える。意図的に調整された操作面２０を用いることにより、観測された観測情報４９１における第１音階の存否判定の精度が向上する。また、ユーザによる操作がされたか否かを、第１音階の発生の有無によって判定することにより、ユーザ操作自体を、ユーザが楽しむことができる。
【０１３５】
また、第１操作対象部材２が、情報受付装置４に対して着脱自在とされていることにより、ユーザの意思で第１操作対象部材２を交換することができる。したがって、自分の好みに応じてカスタマイズできる。
【０１３６】
また、第１操作対象部材２には操作面２０と異なる貼付面２１が形成されており、第１操作対象部材２は、貼付面２１を情報受付装置４に貼り付けることが可能であるとともに、情報受付装置４に貼り付いた状態の貼付面２１を情報受付装置４から剥がすことが可能である。これにより、第１操作対象部材２を容易に着脱自在な構成とすることができる。
【０１３７】
また、物体で擦られたときに、第１音階と異なる特有の第２音階を生じるように調整された操作面３０が形成された第２操作対象部材３をさらに備え、記憶装置４１は、入力情報４１３の候補となる点灯コマンドを第２音階に関連づけて記憶し、第１選択部４００は、マイク４４により取得された観測情報４９１における第２音階の存否を判定するとともに、第２音階が存在すると判定したときに、当該第２音階に関連づけられた点灯コマンドを、入力情報４１３として選択する。このように、複数の音階を定義することにより、複数の候補情報から、入力情報４１３となる候補情報を選択することができる。したがって、汎用性が向上する。
【０１３８】
また、第１音階は、特有の認識用部分音階を含み、ＲＡＭ４９は、入力情報４９２の候補となる転送コマンドを認識用部分音階に関連づけて記憶し、第２選択部４７０は、マイク４４により取得された観測情報４９１における認識用部分音階の存否を判定するとともに、認識用部分音階が存在すると判定したときに、当該認識用部分音階に関連づけられた転送コマンドを、入力情報４９２として選択する。これにより、いわゆるヘッダあるいはフッダを定義することができ、汎用性がさらに向上する。
【０１３９】
また、マイク４４により取得された観測情報４９１における第１音階の存否を判定するとともに、当該第１音階が存在すると判定したときに、当該第１音階に関連づけられたメール送信コマンドを、入力情報４１３として選択する第１選択部４００と、マイク４４により取得された観測情報４９１における認識用部分音階の存否を判定するとともに、当該認識用部分音階が存在すると判定したときに、当該認識用部分音階に関連づけられた転送コマンドを、入力情報４９２として選択する第２選択部４７０とを備え、情報受付装置４は、第１選択部４００（ＣＰＵ４０）に電力供給がされる、もしくは通常電力消費状態で動作する第１動作モードと、第１選択部４００（ＣＰＵ４０）に対する電力供給が停止、もしくは低電力消費状態で動作する第２動作モードとの間で、情報受付装置４の動作モードを切り替えるインタフェース部４７１およびＣＰＵ４０をさらに備え、インタフェース部４７１は、転送コマンドが入力情報４９２として選択されたときに、情報受付装置４の動作モードを第２動作モードから第１動作モードに切り替える。これにより、ユーザの操作を阻害することなく、消費電力を抑制することができる。
【０１４０】
なお、どの音階に、どのような候補情報を関連づけるかを、ユーザが選択できるように構成することが好ましい。例えば、第１操作対象部材２を貼付したときに、データベース４１１を作成（更新）する専用のアプリケーションソフトウェアを立ち上げ、第１ユーザ操作を実行するとともに、関連づける候補情報をユーザが指定するようにしてもよい。このように構成することにより、さらに、ユーザの好みに応じたシステムとすることができるとともに、第１操作対象部材２の貼付位置やユーザの個性等を考慮したキャリブレーションも可能となり、検出精度が向上する。
【０１４１】
＜２．  変形例＞
以上、本発明の実施の形態について説明してきたが、本発明は上記実施の形態に限定されるものではなく様々な変形が可能である。
【０１４２】
例えば、上記実施の形態に示した各工程は、あくまでも例示であって、上記に示した順序や内容に限定されるものではない。すなわち、同様の効果が得られるならば、適宜、順序や内容が変更されてもよい。
【０１４３】
また、上記実施の形態に示した機能ブロック（例えば、第１選択部４００や第２選択部４７０）は、ＣＰＵ４０（またはＭＰＵ４７）がプログラム４１０（またはプログラム４８０）に従って動作することにより、ソフトウェア的に実現されると説明した。しかし、これらの機能ブロックの一部または全部を専用の論理回路で構成し、ハードウェア的に実現してもよい。
【０１４４】
また、上記実施の形態では、第１ユーザ操作および第２ユーザ操作は、いずれも（−Ｙ）方向に擦る例で説明したが、擦る方向は（−Ｙ）方向に限定されるものではない。
【０１４５】
また、例えば、第１操作対象部材２において、領域２００ないし２０９の配列により、（−Ｙ）方向に擦った場合と、（＋Ｙ）方向に擦った場合とでは、発生する音階が異なる（ただし、認識用部分音階は同じ。）。したがって、これら異なる音階に、それぞれ別のコマンドを関連づけてもよい。例えば、（＋Ｙ）方向に擦ったときに生じる音階に、ボリュームを大きくするコマンドを関連づけるとともに、（−Ｙ）方向に擦ったときに生じる音階に、ボリュームを小さくするコマンドを関連づけるなどしてもよい。
【０１４６】
また、第１操作対象部材２は、光を透過する透明材料で形成された部分を含むものでもよい。これにより、例えば、第１操作対象部材２を表示部４３の画面に貼付しても画面を遮ることがない。すなわち、第１操作対象部材２を貼付する場所の選択の自由度が向上する。
【０１４７】
また、第１操作対象部材２は、情報受付装置４に直接貼付されなくてもよい。例えば、情報受付装置４を収納する収納部材（ケースや蓋部材など）に貼付されてもよい。
【０１４８】
また、第１操作対象部材２は、情報受付装置４を収納する収納部材（ケースや蓋部材など）を構成していてもよい。このような構成によっても、第１操作対象部材２を容易に着脱自在な構成とすることができる。
【０１４９】
また、第１操作対象部材２（操作面２０）から発生する第１音階に様々な情報を関連づけることによって、複数のコマンドを組み合わせたものや、ブラウザーを任意のＵＲＬを指定して起動できるものなどのように、ユーザが任意にカスタマイズしたコマンドを、ショートカットキーのように扱うことができるように構成することも可能である。
【符号の説明】
【０１５０】
１  情報受付システム
２  第１操作対象部材
２０，３０  操作面
２００，２０１，２０３，２０４，２０５，２０６，２０７，２０８，２０９，３００，３０１，３０２，３０３，３０４，３０５，３０６，３０７，３０８，３０９  領域
２１  貼付面
３  第２操作対象部材
４  情報受付装置
４０  ＣＰＵ
４００  第１選択部
４０１  実行部
４１  記憶装置
４１０，４８０  プログラム
４１１，４９０  データベース
４１２，４９１  観測情報
４１３，４９２  入力情報
４２  操作部
４３  表示部
４４  マイク
４５  スピーカ
４６  通信部
４７  ＭＰＵ
４７０  第２選択部
４７１  インタフェース部
４８  ＲＯＭ
４９  ＲＡＭ
【図１】
0006543055.tif 000002
【図２】
0006543055.tif 000003
【図３】
0006543055.tif 000004
【図４】
0006543055.tif 000005
【図５】
0006543055.tif 000006
【図６】
0006543055.tif 000007
【図７】
0006543055.tif 000008
【図８】
0006543055.tif 000009
【図９】
0006543055.tif 000010
【図１０】
0006543055.tif 000011
【図１１】
0006543055.tif 000012
【図１２】
0006543055.tif 000013
【図１３】
0006543055.tif 000014